(57)【要約】【課題】装置サイズを縮小してもノズル内のインクの粘度を正常範囲にすることができる画像形成装置を提供する。【解決手段】画像形成装置１は、記録ヘッド５１と、搬送部４と、制御部７とを備える。記録ヘッド５１は、インクを吐出するノズルを有する。搬送部４は、用紙Ｓを搬送する際に、用紙Ｓの搬送を一時停止させるレジストローラー対４１を有する。制御部７は、記録ヘッド部５１、及び搬送部４を制御する。記録ヘッド５１は、レジストローラー対４１よりも用紙Ｓの搬送経路の下流側に配される。制御部７は、レジストローラー対４１を回転させることを示す搬送制御信号を搬送部４に出力する際に、ノズル内のインクをインクが吐出されない程度に振動させる第１フラッシング動作を実行させることを示す第１フラッシング制御信号を記録ヘッド５１に出力する。【選択図】図２
2018069458.tif 000002
【特許請求の範囲】
【請求項１】
インクで記録媒体に画像を形成する画像形成装置であって、
前記インクを吐出するノズルを有する記録ヘッドと、
前記記録媒体を搬送する際に、前記記録媒体の搬送を一時停止させるレジストローラーを有する搬送部と、
前記記録ヘッド、及び前記搬送部を制御する制御部と
を備え、
前記記録ヘッドは、前記レジストローラーよりも前記記録媒体の搬送経路の下流側に配され、
前記制御部は、前記レジストローラーを回転させることを示す搬送制御信号を前記搬送部に出力する際に、前記ノズル内のインクをインクが吐出されない程度に振動させる第１フラッシング動作を実行させることを示す第１フラッシング制御信号を前記記録ヘッドに出力する、画像形成装置。
【請求項２】
前記記録媒体の先端部の通過を示す検出信号を出力する先端検出センサーを更に備え、
前記先端検出センサーは、前記搬送経路において、前記レジストローラーと前記記録ヘッドとの間に配され、
前記制御部は、前記検出信号に基づいて、前記ノズル内のインクが振動する第２フラッシング動作を実行させることを示す第２フラッシング制御信号と、前記画像を形成させることを示す画像形成制御信号とを前記記録ヘッドに出力する、請求項１に記載の画像形成装置。
【請求項３】
前記第２フラッシング動作におけるノズル内のインクの振動の周期は、前記画像を形成する際のノズル内のインクの振動の周期に同期する、請求項２に記載の画像形成装置。
【請求項４】
前記第１フラッシング動作におけるノズル内のインクの振動の周期は、前記第２フラッシング動作におけるノズル内のインクの振動の周期よりも速い、請求項２、又は請求項３に記載の画像形成装置。
【請求項５】
前記制御部は、前記第２フラッシング動作におけるノズル内のインクの振動回数を所定の振動回数から差し引いて、前記第１フラッシング動作におけるノズル内のインクの振動回数を算出する、請求項２から請求項４のいずれか１項に記載の画像形成装置。
【請求項６】
前記制御部は、前記ノズル内のインクを前記算出された回数だけ振動させた後に、前記第１フラッシング動作を終了させる、請求項５に記載の画像形成装置。
【発明の詳細な説明】
【技術分野】
【０００１】
本発明は、画像形成装置に関する。
【背景技術】
【０００２】
特許文献１に記載の画像形成装置は、インクジェット式の画像形成部と、搬送機構と、センサーと、制御部とを備える。画像形成部は、インク吐出用のノズルを有するラインヘッドを有する。搬送機構は、ラインヘッドに向かって印刷媒体を搬送する。センサーは、印刷媒体の搬送経路において、ラインヘッドと搬送機構との間に配される。センサーは、印刷媒体の先端部を検出して検出信号を出力する。制御部は、制御信号を出力して、画像形成部を制御する。制御信号は、画像を形成する情報を示す印刷データと、ノズル内のインクをインクが吐出されない程度に振動させる情報を示すフラッシングデータとを含む。フラッシングデータは、印刷データの先頭に合成される。
【０００３】
特許文献１に記載の画像形成装置では、制御部に検出信号が入力されると、制御部から画像形成部に制御信号が出力される。したがって、印刷媒体がセンサーを通過してから印刷媒体がラインヘッドに至るまでの間に、フラッシングデータに基づいてノズル内のインクが振動される。この結果、ノズル内のインクの粘度を正常範囲にできる。
【先行技術文献】
【特許文献】
【０００４】
【特許文献１】特開２０１４−１０８５５４号公報
【発明の概要】
【発明が解決しようとする課題】
【０００５】
しかしながら、画像形成装置の装置サイズを小さくする際には、例えば、記録ヘッド（ラインヘッド）から先端検出センサー（センサー）までの距離が短くなる。したがって、検出信号が入力された際に制御信号を出力する態様では、記録媒体がラインヘッドに至るまでの間に、ノズル内のインクを振動させる回数が減少する。この結果、ノズル内のインクの粘度を正常範囲にできないおそれがある。なお、正常範囲から外れた粘度のインクが吐出された場合には、画像の品質が劣化するおそれがある。
【０００６】
本発明は、上記課題に鑑み、装置サイズを小さくしてもノズル内のインクの粘度を正常範囲にすることができる画像形成装置を提供することを目的とする。
【課題を解決するための手段】
【０００７】
本発明の画像形成装置は、インクで記録媒体に画像を形成する。画像形成装置は、記録ヘッドと、搬送部と、制御部とを備える。前記記録ヘッドは、前記インクを吐出するノズルを有する。前記搬送部は、前記記録媒体を搬送する際に、前記記録媒体の搬送を一時停止させるレジストローラーを有する。前記制御部は、前記記録ヘッド、及び前記搬送部を制御する。前記記録ヘッドは、前記レジストローラーよりも前記記録媒体の搬送経路の下流側に配される。前記制御部は、前記レジストローラーを回転させることを示す搬送制御信号を前記搬送部に出力する際に、前記ノズル内のインクをインクが吐出されない程度に振動させる第１フラッシング動作を実行させることを示す第１フラッシング制御信号を前記記録ヘッドに出力する。
【発明の効果】
【０００８】
本発明によれば、装置サイズを小さくしてもノズル内のインクの粘度を正常範囲にすることができる。
【図面の簡単な説明】
【０００９】
【図１】本発明の実施形態に係る画像形成装置の構成を示す図である。
【図２】図１の記録ヘッド部の上流側の一部を示す拡大図である。
【図３】図１の記録ヘッド部の上流側の一部を示す拡大図である。
【図４】制御部による画像形成制御を示すフローチャートである。
【発明を実施するための形態】
【００１０】
以下、図面を参照して、本発明に係る画像形成装置１の実施形態について説明する。なお、図中、同一又は相当部分については同一の参照符号を付して説明を繰り返さない。また、図面は、理解しやすくするために、それぞれの構成要素を主体に模式的に示している。
【００１１】
図１を参照して、本発明の実施形態に係る画像形成装置１について説明する。図１は、本発明の実施形態に係る画像形成装置１の構成を示す図である。
【００１２】
画像形成装置１は、例えば、複合機である。なお、画像形成装置１は、コピー、プリンター、又はファクシミリであってもよい。複合機は、例えば、コピー機能、プリンター機能、及びファクシミリ機能のうち少なくとも２つの機能を有する。
【００１３】
図１に示すように、画像形成装置１は、筐体２と、給紙部３と、搬送部４と、画像形成部５と、排出部６と、制御部７とを備える。筐体２は、給紙部３と、搬送部４と、画像形成部５と、排出部６とを内部に収容する。なお、排出部６の一部は、筐体２から外部に露出する。
【００１４】
給紙部３は、給紙カセット３１と、給紙ローラー３２とを備える。給紙カセット３１は、筐体２の下部に配される。給紙カセット３１は、筐体２に着脱自在に装着される。給紙カセット３１内には、複数の用紙Ｓが重ねられた状態で収納される。
【００１５】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１６】
給紙ローラー３２は、いわゆるピックアップローラーである。給紙ローラー３２は、給紙カセット３１内に収容された用紙Ｓを最上部から一枚ずつ取り出す。
【００１７】
搬送部４は、給紙部３から画像形成部５まで延在する。搬送部４は、給紙ローラー３２によって取り出された用紙Ｓを画像形成部５へ搬送する。搬送部４は、レジストローラー対４１を有する。レジストローラー対４１は、本発明のレジストローラーの一例である。
【００１８】
レジストローラー対４１は、搬送部４によって搬送される用紙Ｓの斜行補正を行う。レジストローラー対４１は、用紙Ｓの一端部が整列するように用紙Ｓの搬送を一時的に停止させることによって、用紙Ｓの斜行を補正する。レジストローラー対４１は、用紙Ｓを一時的に停止させた後に、画像形成部５の画像形成のタイミングに合わせて用紙Ｓを画像形成部５へ送出する。
【００１９】
画像形成部５は、搬送部４から送出された用紙Ｓに画像を形成する。画像形成部５は、記録ヘッド５１と、搬送ベルト５２と、吸引部５３と、吸着ローラー５４と、先端検出センサー５５と、速度検出ローラー５６とを有する。
【００２０】
記録ヘッド５１は、インクで用紙Ｓに画像を形成する。記録ヘッド５１は、ブラック、シアン、マゼンタ、及びイエローの各色に対応する複数の記録ヘッド５１ｋ、５１ｃ、５１ｍ、５１ｙから構成される。複数の記録ヘッド５１ｋ、５１ｃ、５１ｍ、５１ｙは、この順で用紙Ｓの搬送方向Ｄの上流側から下流側に向けて並設される。
【００２１】
記録ヘッド５１ｋは、ブラックのインクタンク（図示せず）に接続される。記録ヘッド５１ｋは、ブラックのインクを吐出するノズル（図示せず）を有する。記録ヘッド５１ｃは、シアンのインクタンク（図示せず）に接続される。記録ヘッド５１ｃは、シアンのインクを吐出するノズル（図示せず）を有する。記録ヘッド５１ｍは、マゼンタのインクタンク（図示せず）に接続される。記録ヘッド５１ｍは、マゼンタのインクを吐出するノズル（図示せず）を有する。記録ヘッド５１ｙは、イエローのインクタンク（図示せず）に接続される。記録ヘッド５１ｙは、イエローのインクを吐出するノズル（図示せず）を有する。記録ヘッド５１ｋ、５１ｃ、５１ｍ、５１ｙの各々は、例えば、複数のノズルを有するライン型の記録ヘッドである。
【００２２】
記録ヘッド５１ｋ、５１ｃ、５１ｍ、５１ｙの各々は、例えば、ピエゾ方式のようなインクの吐出方式を適用することができる。ピエゾ方式では、ピエゾ素子（図示せず）を用いてインクが吐出される。詳しくは、ピエゾ方式では、所定の波形のパルスがピエゾ素子に入力されることによって、パルスに対応するようにピエゾ素子が変形する。この結果、ピエゾ素子の変形による圧力がノズル内のインクに伝達し、インクのメニスカスが振動することによって、ノズルからインクが吐出される。
【００２３】
ここで、図１において、Ｘ軸は、用紙Ｓの搬送方向Ｄに直交する方向に平行である。Ｙ軸は、画像形成部５を通過する用紙Ｓの搬送方向Ｄに平行である。Ｚ軸は、鉛直方向である。Ｘ軸、Ｙ軸、及びＺ軸は、互いに直交する。
【００２４】
搬送ベルト５２は、搬送部４から送出された用紙Ｓを搬送方向Ｄに沿って搬送する。搬送ベルト５２は、無端状に形成される。搬送ベルト５２は、複数のローラーに張架される。搬送ベルト５２には、複数の吸引孔（図示せず）が形成される。各吸引孔は、搬送ベルト５２を貫通する。
【００２５】
吸引部５３は、搬送ベルト５２を介して用紙Ｓを吸引する。吸引部５３は、搬送ベルト５２を挟んで、記録ヘッド５１と対向する。吸引部５３は、ガイド部材５３ａを有する。ガイド部材５３ａは、吸引部５３に吸引される用紙Ｓを搬送ベルト５２を介して支持する。
【００２６】
速度検出ローラー５６は、ガイド部材５３ａよりも用紙Ｓの搬送方向Ｄの上流側に配される。速度検出ローラー５６は、パルス板（図示せず）を有する。速度検出ローラー５６は、搬送ベルト５２に接触して回転する。搬送ベルト５２の回動速度は、速度検出ローラー５６と一体に回転するパルス板の回転速度を測定して検出される。検出された搬送ベルト５２の回動速度を示す速度信号は、制御部７に出力される。
【００２７】
吸着ローラー５４は、記録ヘッド５１よりも用紙Ｓの搬送方向Ｄの上流側に配される。吸着ローラー５４は、用紙Ｓを搬送方向Ｄに搬送する。また、吸着ローラー５４は、用紙Ｓの全体が吸引部５３によって吸引されるように、用紙Ｓを搬送ベルト５２に向かって押し付ける。この結果、用紙Ｓと搬送ベルト５２との密着性が向上する。
【００２８】
先端検出センサー５５は、搬送方向Ｄに沿って搬送される用紙Ｓの先端部を検出する。先端検出センサー５５は、吸着ローラー５４よりも用紙Ｓの搬送方向Ｄの上流側に配される。先端検出センサー５５は、レジストローラー対４１よりも用紙Ｓの搬送方向Ｄの下流側に配される。したがって、先端検出センサー５５は、レジストローラー対４１から搬送ベルト５２に送出される用紙Ｓの先端部を検出する。先端検出センサー５５は、例えば、搬送ベルト５２に向かって出射した光の反射率によって用紙Ｓの先端部を検出する。先端検出センサー５５は、用紙Ｓの先端部の通過を示す検出信号を制御部７に出力する。
【００２９】
排出部６は、搬送ガイド６１と、排出ローラー対６２と、排出トレイ６３とを備える。搬送ガイド６１は、用紙Ｓの搬送方向Ｄにおいて、搬送ベルト５２の下流側に配される。搬送ガイド６１は、搬送ベルト５２から搬送される用紙Ｓを排出ローラー対６２に案内する。
【００３０】
排出トレイ６３は、筐体２に形成された排出口２１から外部に突出するように筐体２に固定される。搬送ガイド６１を通過した用紙Ｓは、排出ローラー対６２によって、排出口２１を介して排出トレイ６３に排出される。
【００３１】
制御部７は、コンピュータープログラムを実行することにより、給紙部３、搬送部４、画像形成部５、及び排出部６を制御する。制御部７は、例えば、ＣＰＵ（Ｃｅｎｔｒａｌ  Ｐｒｏｃｅｓｓｉｎｇ  Ｕｎｉｔ）である。コンピュータープログラムは、例えば、所定の記憶部に記憶される。記憶部は、例えば、半導体メモリー、及び／又はハードディスクドライブである。
【００３２】
図２、及び図３を参照して、用紙Ｓに画像を形成する際の画像形成制御について説明する。図２、及び図３は、図１の記録ヘッド５１の上流側の一部を示す拡大図である。詳しくは、図２の拡大図は、レジストローラー対４１によって一時停止された用紙Ｓを示す。図３の拡大図は、先端検出センサー５５によって先端部が検出された用紙Ｓを示す。
【００３３】
図２に示すように、搬送部４によって搬送される用紙Ｓは、レジストローラー対４１によって用紙Ｓの一端部が整列するように一時停止されて、用紙Ｓの斜行が補正される。
【００３４】
制御部７は、用紙Ｓに形成される画像を示す画像データに基づいて、レジストローラー対４１を回転させることを示す搬送制御信号を搬送部４に出力する。この結果、搬送部４によってレジストローラー対４１が回転されて、用紙Ｓに画像を形成するタイミングに合わせて、レジストローラー対４１から画像形成部５へ用紙Ｓが送出される。
【００３５】
制御部７は、搬送制御信号を出力する際に、ノズル内のインクをインクが吐出されない程度に振動させる第１フラッシング動作を実行させることを示す第１フラッシング制御信号を記録ヘッド５１に出力する。
【００３６】
本実施形態の画像形成装置１では、レジストローラー対４１によって用紙Ｓを画像形成部５へ送出し、記録ヘッド５１によって第１フラッシング動作が実行される。したがって、画像形成装置１のサイズを小さくして、先端検出センサー５５と記録ヘッド５１との距離が短くなった場合でも、第１フラッシング動作において、ノズル内のインクを振動させる回数を確保できる。この結果、装置サイズを小さくしても、フラッシング動作によって、ノズル内のインクの粘度を正常範囲にすることができる。
【００３７】
第１フラッシング動作は、ノズル内のインクを吐出させずに、インクのメニスカスを振動させる動作である。詳しくは、第１フラッシング動作において、ピエゾ素子には、例えば、インクを吐出する波形よりも狭いパルス幅を有し、インクを吐出する波形よりも高い周波数のパルスが入力される。この結果、ノズル内のインクの流速が所定値未満に維持される。したがって、ノズルからインクが吐出されることなく、インクのメニスカスが振動される。なお、後述する第２フラッシング動作においても、第１フラッシング動作と同様のパルスがピエゾ素子に入力される。
【００３８】
図３に示すように、レジストローラー対４１によって送出された用紙Ｓの先端部は、先端検出センサー５５によって検出される。制御部７は、画像データに基づいて、第２フラッシング制御信号と画像形成制御信号とを生成し、先端検出センサー５５の検出信号に基づいて、第２フラッシング制御信号と画像形成制御信号とを記録ヘッド５１に出力する。第２フラッシング制御信号は、画像形成制御信号の先頭に合成して出力される。
【００３９】
第２フラッシング制御信号は、記録ヘッド５１に第２フラッシング動作を実行させる。第２フラッシング動作は、記録ヘッド５１ｋ、５１ｃ、５１ｍ、５１ｙの各々のノズル内のインクを振動させる。記録ヘッド５１ｋ、５１ｃ、５１ｍ、５１ｙの各々は、第２フラッシング動作において、用紙Ｓが先端検出センサー５５を通過してから用紙Ｓが複数の記録ヘッド５１ｋ、５１ｃ、５１ｍ、５１ｙの各々の画像形成位置に至るまでの間、各ノズル内のインクを振動させる。
【００４０】
画像形成制御信号は、記録ヘッド５１ｋ、５１ｃ、５１ｍ、５１ｙの各々に、画像データに基づく画像を用紙Ｓに形成させる。記録ヘッド５１ｋ、５１ｃ、５１ｍ、５１ｙの各々のノズル内のインクは、画像を形成する際に振動する。第２フラッシング動作におけるノズル内のインクの振動の周期は、例えば、画像を形成する際のノズル内のインクの振動の周期に同期する。この結果、記録ヘッド５１ｋ、５１ｃ、５１ｍ、５１ｙの各々は、振動の周期を一定に維持しつつ、第２フラッシング動作を経て画像を形成することができる。
【００４１】
制御部７は、画像データに基づいて、第２フラッシング制御信号を生成する。詳しくは、制御部７は、画像を形成する際のノズル内のインクの振動の周期と、速度検出ローラー５６から入力される速度信号と、ノズルから吐出されるインクの着弾位置から先端検出センサー５５までの距離とに基づいて、第２フラッシング制御信号を生成する。
【００４２】
制御部７は、第２フラッシング制御信号を生成した後に、第１フラッシング制御信号を生成する。制御部７は、第１フラッシング制御信号を生成する際に、第２フラッシング動作におけるノズル内のインクの振動回数を算出する。第２フラッシング動作におけるノズル内のインクの振動回数は、例えば、画像を形成する際のノズル内のインクの振動の周期と、ノズルから吐出されるインクの着弾位置から先端検出センサー５５までの距離とから算出される。
【００４３】
また、制御部７は、第１フラッシング制御信号を生成する際に、所定の記憶部からインク情報を取得する。インク情報は、例えば、第１フラッシング動作と第２フラッシング動作とを含むフラッシング動作において、複数の記録ヘッド５１ｋ、５１ｃ、５１ｍ、５１ｙの各々のノズル内のインクの粘度を正常範囲にするために必要なノズル内のインクの振動回数を示す。
【００４４】
制御部７は、ノズル内のインクの粘度を正常範囲にするために必要なノズル内のインクの振動回数から、第２フラッシング動作におけるノズル内のインクの振動回数を減算して、第１フラッシング動作におけるノズル内のインクの振動回数を算出する。
【００４５】
制御部７は、第１フラッシング動作におけるノズル内のインクの振動の周期を設定して、第１フラッシング制御信号を生成する。第１フラッシング動作におけるノズル内のインクの振動の周期は、算出した第１フラッシング動作におけるノズル内のインクの振動回数に基づいて設定される。詳しくは、制御部７は、算出した第１フラッシング動作におけるノズル内のインクの振動回数と、レジストローラー対４１から先端検出センサー５５までの距離と、用紙Ｓの搬送速度とから、第１フラッシング動作におけるノズル内のインクの振動の周期を設定する。この結果、第２フラッシング動作において不足するノズル内のインクの振動回数が、第１フラッシング動作におけるノズル内のインクの振動回数によって充足される。
【００４６】
レジストローラー対４１から先端検出センサー５５までの距離が短い場合は、所定の周期の第１フラッシング動作において、第２フラッシング動作において不足するノズル内のインクの振動回数だけノズル内のインクを振動できないことがある。この場合に、制御部７は、例えば、第１フラッシング動作におけるノズル内のインクの振動の周期を速く設定する。第１フラッシング動作におけるノズル内のインクの振動の周期は、例えば、第２フラッシング動作におけるノズル内のインクの振動の周期よりも速く設定される。この結果、第２フラッシング動作において不足するノズル内のインクの振動回数が、第１フラッシング動作におけるノズル内のインクの振動回数により確実に充足される。
【００４７】
なお、用紙Ｓの搬送速度が速い場合も、所定の周期の第１フラッシング動作において、第２フラッシング動作において不足するノズル内のインクの振動回数だけノズル内のインクを振動できないことがある。この場合も同様に、制御部７は、第１フラッシング動作におけるノズル内のインクの振動の周期を速く設定する。
【００４８】
また、制御部７は、第２フラッシング動作において不足するノズル内のインクの振動回数を充足した際に、第１フラッシング動作を終了させる。この結果、第１フラッシング動作におけるノズル内のインクの振動が第２フラッシング動作におけるノズル内のインクの振動に与える影響を抑制することができる。
【００４９】
図４を参照して、本実施形態に係る画像形成制御について説明する。図４は、制御部７による画像形成制御を示すフローチャートである。制御部７は、画像データが入力された際に画像形成制御を開始する。画像データは、例えば、所定の画像読取装置、又は所定のパソコンのような入力部から入力される。
【００５０】
図４に示すように、制御部７は、ステップＳ１００において、入力部から画像データが入力されると、ステップＳ１１０において、記録ヘッド５１に画像を形成させるために、画像形成制御信号を生成する。制御部７は、ステップＳ１１０において、画像形成制御信号を生成した後に、ステップＳ１２０において、記録ヘッド５１がノズル内のインクを振動させるために、第２フラッシング制御信号を生成する。制御部７は、ステップＳ１２０において、第２フラッシング制御信号を生成した後に、ステップＳ１３０において、記録ヘッド５１がノズル内のインクを振動させるために、第１フラッシング制御信号を生成する。
【００５１】
制御部７は、ステップＳ１３０において、第１フラッシング制御信号を生成した後に、ステップＳ１４０において、レジストローラー対４１を回転させるために搬送制御信号を搬送部４に出力するとともに、第１フラッシング制御信号を記録ヘッド５１に出力する。
【００５２】
制御部７は、ステップＳ１４０において、搬送制御信号、及び第１フラッシング制御信号を出力した後に、ステップＳ１５０において、先端検出センサー５５から検出信号が入力されると、ステップＳ１６０において、第２フラッシング制御信号、及び画像形成制御信号を記録ヘッド５１に出力して、画像形成制御を終了する。
【００５３】
以上、図１から図４を参照して、本発明の実施形態に係る画像形成装置１について説明した。但し、本発明は、本実施形態に限られるものではなく、その要旨を逸脱しない範囲で種々の態様において実施することが可能である。
【００５４】
例えば、本発明の実施形態では、第１フラッシング動作は、第２フラッシング動作において不足するノズル内のインクの振動回数を充足した際に終了されていたが、本発明はこれに限定されない。第１フラッシング動作の後に、第２フラッシング動作が実行されればよい。制御部７は、例えば、第１フラッシング動作において、第２フラッシング動作において不足するノズル内のインクの振動回数を充足した際に、第１フラッシング動作のノズル内のインクの振動の周期を第２フラッシング動作のノズル内のインクの振動の周期と同期するように調整してもよい。この結果、第１フラッシング動作から第２フラッシング動作へ遷移する際に、ノズル内のインクの振動の周期が乱れることを抑制できる。
【００５５】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５６】
本発明は、画像形成装置に関し、特に、インクで画像を形成するインクジェット式の画像形成装置に利用可能である。
【符号の説明】
【００５７】
１        画像形成装置
４        搬送部
７        制御部
４１      レジストローラー対
５１      記録ヘッド
Ｓ        用紙
【図１】
2018069458.tif 000003
【図２】
2018069458.tif 000004
【図３】
2018069458.tif 000005
【図４】
2018069458.tif 000006